(57)【要約】  【課題】  輸送する際に、使用者が意識することなく画像読み取りユニットのロックおよびその解除ができる、簡素な部品構成のロック手段を有する画像読み取り装置を提供する。  【解決手段】  透明ガラス製プラテン３１上に載置する原稿を押さえる押さえ蓋と画像読み取り装置本体１１とを、押さえ蓋の脚部２３を本体１１に設けた脚部挿入口１６に挿入することによって取り外し可能とする。本体１１内部に支点２４ａを中心として回動可能なロック部材２４を脚部挿入口と交わるように設ける。押さえ蓋を取り付けていない時はロック部材２４は付勢手段２５により上方に付勢され、画像読み取りユニット３８の係合部３８ｂと係合し、画像読み取りユニット３８はロックされる。押さえ蓋を取り付けると脚部２３がロック部材２４を押し下げ、画像読み取りユニットのロックが解除される。【選択図】      図３
2006033419.tif 000002
【特許請求の範囲】
【請求項１】
本体に、原稿を載置する透明ガラス製プラテンと、前記プラテンの下方に配置され、水平方向に移動して前記プラテン上に載置された原稿の画像を読み取る読み取りユニットと、一端を開閉支点として垂直面内で開閉し、閉じたときに前記プラテン上に載置された原稿を押さえる押さえ蓋とを備えた画像読み取り装置において、
前記押さえ蓋は脚部により前記本体に着脱自在に取り付けられるものであり、前記読み取りユニットにはその移動をロックするロック部材が組み合わせられるとともに、このロック部材は、前記押さえ蓋の脚部が本体に取り付けられていない時には読み取りユニットロック態勢を保ち、前記脚部が本体に取り付けられた時には読み取りユニットロック態勢を解除することを特徴とする画像読み取り装置。
【請求項２】
前記本体に、前記押さえ蓋が前記本体に取り付けられているかどうかを検知する検知手段と、画像読み取り装置全体の動作を制御する制御部とが設けられており、前記検知手段が前記押さえ蓋が前記本体に取り付けられていないことを検知している時は、前記制御部が前記読み取りユニットを駆動させないことを特徴とする請求項１に記載の画像読み取り装置。
【発明の詳細な説明】
【技術分野】
【０００１】
本発明は、読み取りユニットを移動させることにより原稿の画像を読み取る画像読み取り装置に関するものである。
【背景技術】
【０００２】
画像読み取り装置においては、透明ガラス製のプラテン上に載置し、押さえ蓋で押さえた原稿の画像を、このプラテンの下方の移動可能な読み取りユニットによって読み取るものが一般的である。自動原稿搬送装置を有し、自動的に搬送される原稿の画像を固定した読み取りユニットによって読み取る画像読み取り装置でも、同様のプラテンを備え、プラテン上の原稿の画像を、読み取りユニットを移動させて読み取ることができるようになっているものが多い。
【０００３】
読み取りユニットはミラーと露光ランプとからなり、ミラーの角度や露光ランプの配置は精密に決められている。また、読み取りユニット自体は容易に動くようになっている。よって、画像読み取り装置を移動させる際に、傾いたり、揺れたりすることにより、読み取りユニットが画像読み取り装置の内部で動いて衝撃を受け、反射鏡の角度や光源の配置がずれるおそれがある。
【０００４】
特許文献１および特許文献２では、読み取りユニット（光学系支持部材）をねじなどからなる固定部材を用いて固定する方法が提案されている。また、特許文献３では、画像読み取り装置を持ち上げたり、取っ手を手で掴んだりすること、またはソレノイドなどの電気的手段によって固定手段を動かすことにより、読み取りユニット（光学ユニット）を固定する方法が提案されている。
【０００５】
また、最近の複写機や複合機などの画像形成装置において、使用者が用途に応じて画像読み取り部の押さえ蓋が単なる一枚の板からなっているものと自動原稿搬送装置を有するものから選択できるようになっていることが多い。その場合、本体と押さえ蓋は別に梱包されたまま輸送され、使用場所に設置する際に開梱し、取り付けることとなる。
【特許文献１】特公平７−１０４５５８号公報（第２頁−第３頁、第１図）
【特許文献２】特開平７−２４０８２１号公報（第８頁−第９頁、図３）
【特許文献３】特開２００１−２３５８１０号公報（第５頁−第６頁、図１）
【発明の開示】
【発明が解決しようとする課題】
【０００６】
しかし、特許文献１、特許文献２で提案された固定方法では、読み取りユニットを固定するために、使用者は固定部材をねじ込んだり、回転させたりしなければならない。
【０００７】
特許文献３で提案された固定方法では、使用者は固定作業を意識しなくても固定することができるものの、画像読み取り装置を持ち上げるか、取っ手を手で掴んだ状態にしなければならない。画像読み取り装置を持ち上げるものの場合は、設置した床面から離れたことを検知するための検知手段が必要であるが、床面と読み取りユニットとが離れているため装置内部での固定手段の構成が煩雑となり、また、トラックなどでの輸送の際には荷台に置くことになり、装置を持ち上げた状態にできないため、読み取りユニットを固定することができない。取っ手を手で掴むものの場合は、機械を梱包して輸送する際には取っ手をテープ留めするなどして、取っ手を手で掴んだ場合と等価な状態を作らなければならない。ソレノイドなどの電気的手段を用いる場合では、画像読み取り装置を持ち上げるなどしなくてもよいが、追加の部品を設ける必要がある。
【０００８】
そこで、本発明では、読み取りユニットを固定するにあたって、固定部材をねじ込んだり、画像読み取り装置を持ち上げたり、ソレノイドなどの追加の部品を設けたりする必要がなく、使用者が固定を意識しなくても押さえ蓋を外すと、簡単な部材の構成で読み取りユニットを固定し、取り付けると固定を解除する画像読み取り装置を提供することを目的とする。
【課題を解決するための手段】
【０００９】
前記目的を達成するため、本発明の画像読み取り装置では、本体に、原稿を載置する透明ガラス製プラテンと、前記プラテンの下方に配置され、水平方向に移動して前記プラテン上に載置された原稿の画像を読み取る読み取りユニットと、一端を開閉支点として垂直面内で開閉し、閉じたときに前記プラテン上に載置された原稿を押さえる押さえ蓋とを備えた画像読み取り装置において、前記押さえ蓋は脚部により前記本体に着脱自在に取り付けられるものであり、前記読み取りユニットにはその移動をロックするロック部材が組み合わせられるとともに、このロック部材は、前記押さえ蓋の脚部が本体に取り付けられていない時には読み取りユニットロック態勢を保ち、前記脚部が本体に取り付けられた時には読み取りユニットロック態勢を解除する構成とする。
【００１０】
また、本発明の画像読み取り装置では、前記本体に、前記押さえ蓋が前記本体に取り付けられているかどうかを検知する検知手段と、画像読み取り装置全体の動作を制御する制御部とが設けられており、前記検知手段が前記押さえ蓋が前記本体に取り付けられていないことを検知している時は、前記制御部が前記読み取りユニットを駆動させないものとする。
【発明の効果】
【００１１】
本発明による画像読み取り装置は、押さえ蓋の脚部が本体に取り付けられていないとロック部材が読み取りユニットをロックする態勢を保ち、取り付けられているとロックする態勢を解除する。よって、使用者が読み取りユニットのロックについて意識しなくても、購入時の輸送の際は押さえ蓋と本体とが別に梱包されている状態であるため、読み取りユニットはロックされた状態となっており、輸送中に読み取りユニットが動いて読み取りユニットのミラーや露光ランプの角度または位置がずれることがなくなる。また、開梱して設置場所で押さえ蓋を本体に取り付けて画像読み取り装置を組み立てると、これも使用者が意識することなく、読み取りユニットのロックは解除される。通常、画像読み取り装置において、主電源を入れた際に初期動作として読み取りユニットに所定の動作をさせるが、固定部材を使用する場合に固定部材を外し忘れると、初期動作によって読み取りユニットの駆動部に無理な負荷がかかって読み取りユニットが変形したり、駆動させるモータが脱調したりする可能性がある。しかし、これにより、押さえ蓋を取り付けていればロックが解除されているため、初期動作による無用の事故がなくなる。
【００１２】
また、本発明によれば、検知手段が押さえ蓋が本体に取り付けられていないことを検知している時、すなわち読み取りユニットがロックされている時は、制御部が読み取りユニットを駆動させない。よって、押さえ蓋を取り付けずに主電源を入れた場合に、上述した初期動作をさせないため、ロックされた読み取りユニットを駆動しようとすることによる無用の事故を防げる。また、主電源は入っているため、操作パネルの表示部などに押さえ蓋が取り付けられていない旨を表示させ、使用者に注意を喚起することもできる。
【発明を実施するための最良の形態】
【００１３】
以下、本発明の実施の形態を、図を用いて説明する。図１は本発明の画像読み取り装置の実施形態に係る複写機の概略構成図である。本体ハウジング１０は、上ハウジング１１と下ハウジング１２とを有し、上ハウジング１１の上には押さえ蓋２０が載置される。押さえ蓋２０は紙面の奥側を開閉支点２１として垂直面内で開閉自在に取り付けられている。
【００１４】
上ハウジング１１には画像読み取り部３０が内蔵されている。画像読み取り部３０は、透明ガラス製のプラテン３１、露光ランプ３２、第１のミラー３３、第２のミラー３４、第３のミラー３５、集光レンズ３６およびイメージセンサ（例えばライン型のＣＣＤ）３７を備える。露光ランプ３２および第１のミラー３３は読み取りユニット枠３８ａの内部に配置され、読み取りユニット３８を構成する。読み取りユニット３８は、ワイヤー３９ａとプーリー３９ｂとプーリー３９ｂに連結された図示しないモータからなる読み取りユニット駆動部３９により図中左右方向に移動することができる。
【００１５】
プラテン３１上に載置された図示しない原稿は、読み取りユニット駆動部３９により移動する読み取りユニット３８の露光ランプ３２からの照射光により露光される。照射光は第１のミラー３３、第２のミラー３４、第３のミラー３５および集光レンズ３６を通じてＣＣＤ３７に到達して光電変換処理を経て電気信号となるように読み取られる。
【００１６】
下ハウジング１２の上部には排紙口１４および胴内排紙トレイ１５が設けられており、画像が形成された用紙Ｐが排出される。
【００１７】
また、下ハウジング１２には、制御部４０、給紙部５０、画像形成部６０および定着部７０が内蔵されている。制御部４０は複写機全体の動作を制御するものである。給紙部５０は給紙カセット５１、給紙ローラ５２、手差し給紙トレイ５３、給紙ローラ５４および搬送ローラ対５５からなる。給紙カセット５１は、用紙Ｐを収容するものであり、下ハウジング１２の下部に配設される。用紙Ｐはここから給紙ローラ５２により１枚ずつ用紙搬送路５６へ送り出され、搬送ローラ対５５によって搬送される。また、手差し給紙トレイ５３は下ハウジング１２の左側面の下部に、開閉可能に備えられている。破線で示す閉じた状態から実線で示すように手で開いた手差し給紙トレイ５３に置いた用紙Ｐを手で下ハウジング１２の中に押し込んでいけば、給紙カセット５１の用紙Ｐと同様に用紙Ｐは給紙ローラ５４により１枚ずつ用紙搬送路５６へ送り出され、搬送ローラ対５５などによって搬送される。
【００１８】
次に画像形成部６０について説明する。画像形成部６０は、感光体ドラム６１と、その周囲に配設された帯電器６２、光走査ユニット６３、現像器６４、転写ローラ６５、クリーニング器６６とを備える。感光体ドラム６１は図１において時計回りに回転し、まず帯電器６２により感光体ドラム６１の表面は均一に帯電される。次に、光走査ユニット６３から感光体ドラム６１の表面にレーザ光が照射されて、用紙Ｐに形成される画像の部分又は前記画像以外の部分に相当する電荷が消去され、感光体ドラム６１の表面に静電潜像が形成される。そして現像器６４によって、この静電潜像にトナーが供給され静電潜像が顕像化する。
【００１９】
感光体ドラム６１がさらに回転し、トナー画像が転写ローラ６５と対向する位置に来たときに、それに合わせて、感光体ドラム６１と転写ローラ６５との間に用紙Ｐが搬送されてくる。このとき転写ローラ６５に、トナーの帯電極性と逆極性の電圧が印加されることにより、感光体ドラム６１上のトナー画像が用紙Ｐ上に転写される。感光体ドラム６１上の転写されなかった残留トナーはクリーニング器６６によって感光体ドラム６１上から除去される。一方トナー画像が転写された用紙Ｐは定着ローラ７１と加圧ローラ７２とが圧接してなる定着部７０に搬送され、ここでトナー画像は加熱・加圧されて用紙Ｐに定着する。その後用紙Ｐは排出ローラ対５７により、排紙口１４から胴内排紙トレイ１５に排出される。
【００２０】
図２は本発明の実施形態に係る複写機の外観斜視図である。本発明の実施形態において、押さえ蓋２０は上ハウジング１１に着脱自在に取り付けられている。押さえ蓋２０の開閉支点２１は蝶番２２によって脚部２３が取り付けられており、上ハウジング１１には脚部２３を挿入できる脚部挿入口１６および表示板１８ａとテンキーなどの操作ボタン１８ｂを備えた操作パネル１８が設けられている。ここで、押さえ蓋２０は、押さえ蓋２０と同様に上ハウジング１１に着脱自在に取り付けられる自動原稿搬送装置であってもよい。
【００２１】
図３は読み取りユニット３８と脚部挿入口１６の近傍を図１の右方から見た部分断面図である。上ハウジング１１にはロック部材２４が、脚部挿入口１６と交わるように配置され、支点２４ａを中心として回動するように設けられている。読み取りユニット枠３８ａにはロック部材２４の先端２４ｂと係合する係合部３８ｂが設けられている。係合部３８ｂは、ロック部材２４が回動する際に先端２４ｂがぶつからないように、先端２４ｂのなす弧に合わせて曲線を描いている。
【００２２】
ロック部材２４は、脚部挿入口１６に脚部２３が挿入されていない時は圧縮コイルばねなどからなる付勢手段２５により上方に付勢され、実線で示す読み取りユニットロック態勢を保ち、先端２４ｂが読み取りユニット枠３８ａに設けられた係合部３８ｂに係合し、読み取りユニット３８をロックする。また、脚部２３が挿入されるとロック部材２４のアーム部２４ｃが脚部２３に押されてロック部材２４が破線で示すように下方に回動して読み取りユニットロック態勢を解除し、先端２４ｂの係合部３８ｂとの係合が外れて読み取りユニット３８は移動可能な状態となる。
【００２３】
このように構成することにより、使用者が読み取りユニット３８のロックについて意識しなくても、購入時の輸送の際は押さえ蓋２０と本体ハウジング１０とが別に梱包されている状態であるため、読み取りユニット３８はロックされた状態となっており、輸送中に読み取りユニット３８が動いて第１のミラー３３または露光ランプ３２の角度または位置がずれることがなくなる。その後、設置場所で開梱して押さえ蓋２０を本体ハウジング１０に取り付けて複写機を組み立てると、これも使用者が意識することなく、読み取りユニット３８のロックは解除される。
【００２４】
通常、複写機において、主電源を入れた際に初期動作として読み取りユニット３８に所定の動作をさせるが、固定部材を使用して読み取りユニット３８を固定した場合に固定部材を外し忘れると、初期動作によって読み取りユニット３８の図示しない駆動部に無理な負荷がかかって読み取りユニットが変形したり、図示しない駆動用のモータが脱調したりする可能性がある。しかし、押さえ蓋２０を取り付けていればロックが解除されているため、初期動作による上述したような事故がなくなる。
【００２５】
脚部挿入口１６の下方には脚部２３が挿入されているかどうかを検知する検知手段１７が設けられている。検知手段１７はスイッチ本体１７ａとアクチュエータ１７ｂで構成される。脚部２３が挿入されていない時にはアクチュエータ１７ｂが実線で示すように脚部挿入口１６の内側に突出しているが、脚部２３が挿入されるとアクチュエータ１７ｂが脚部２３に触れて破線で示すように脚部挿入口１６の外側に押し出され、脚部２３が挿入されていることを検知している状態となる。
【００２６】
検知手段１７が実線で示すように脚部２３が挿入されていないことを検知している時には制御部４０は読み取りユニット３８を駆動させない。また、操作パネルの表示部に、押さえ蓋２０を取り付ける旨を表示する。一方、破線で示すように脚部２３が挿入されていることを検知している時には必要に応じて読み取りユニット３８を駆動する。
【００２７】
このように構成することにより、押さえ蓋２０を取り付けない状態すなわち読み取りユニット３８がロックされた状態で主電源を入れた場合に、上述した初期動作をさせないため、ロックされた読み取りユニット３８を駆動しようとすることによる無用の事故を防ぐことができる。また、主電源が入っているので、表示板１８ａでの表示により使用者に押さえ蓋２０の取り付けを喚起することができる。
【００２８】
本発明の実施形態において、押さえ蓋２０を本体ハウジング１０に取り付ける方法は、上ハウジング１１に設けられた脚部挿入口１６に上方から垂直に脚部２３を挿入するものに限られず、ロック部材を動作させることができるものであれば図４のように上ハウジング１１の背面にねじ止めするようなものであっても構わない。図４において、押さえ蓋２０の脚部２３は、上ハウジング１１の背面に設けられた脚部挿入口１６から挿入され、ねじ２６で固定される。このとき、ロック部材２４のアーム部２４ｄに接触してロック部材２４を回動させ、読み取りユニット３８のロックを解除する。
【００２９】
検知手段１７を設ける位置は脚部挿入口１６近傍に限られず、押さえ蓋２０の構成部材が触れる位置であれば、図３のように上ハウジング１１の上面の脚部２３が触れる位置でも構わない。
【００３０】
検知手段１７の代わりに、検知手段１７と同じ場所に複写機全体への電力供給回路を開閉するスイッチを設けてもよい。このスイッチは、押さえ蓋２０が本体ハウジング１０に取り付けられている時は脚部２３により閉状態となり、取り外されている時は開状態となるものである。この場合、押さえ蓋２０を取り付けると図示しない主電源スイッチにより複写機への電力供給を操作することができるが、押さえ蓋２０を取り付けずに主電源スイッチを入れても複写機には電力が供給されない。これにより、押さえ蓋２０が取り付けられていない状態では上述した初期動作をさせないため、ロックされた読み取りユニット３８を駆動しようとすることによる無用の事故を防ぐことができる。
【産業上の利用可能性】
【００３１】
本発明のロック機構は、画像読み取り装置に限られず、輸送時に複数の部材に分割し、いずれかの部材の内部に輸送時には固定したい可動部を有するものであれば利用することができる。
【図面の簡単な説明】
【００３２】
【図１】本発明の画像読み取り装置の実施形態に係る複写機の概略構成図
【図２】本発明の実施形態に係る複写機の外観斜視図
【図３】読み取りユニットと脚部挿入口の近傍を図１の右方から見た部分断面図
【図４】図３と同じ場所の異なる形態の部分断面図
【符号の説明】
【００３３】
１０      本体ハウジング
１１      上ハウジング
１２      下ハウジング
１７      検知手段
２０      押さえ蓋
２１      開閉支点
２３      脚部
２４      ロック部材
３０      画像読み取り部
３１      透明ガラス製プラテン
３８      読み取りユニット
【図１】
2006033419.tif 000003
【図２】
2006033419.tif 000004
【図３】
2006033419.tif 000005
【図４】
2006033419.tif 000006